(57)【要約】      （修正有）【課題】  簡潔な構造で、歯の治療時に吸引パイプの先端に取付けられ、歯の切削屑、飛沫及び口腔内液体等を同時的に効率よく吸引することができるとともに人間工学的に優れた吸引チップを提供する。【解決手段】  歯の治療時に吸引パイプ１０の先端に取付けられ、歯の切削屑、飛沫及び口腔内液体等を吸引する吸引チップ１であって、いずれも可撓性部材からなり、所定内径の略円筒状の基材部２と、後端部が前記基材部の先端から基材部２の内壁に内接又は一部埋設した偏心状態で所定の長さ挿入されて固設され、先端部３ａが基材部２の先端２ｃから所定長さ突出した小径管部３とから構成される。また、基材部２は、小径管部３が内接する先端下半部が前方に延出するように長手方向傾斜面状にカットされた延出部２ａが形成される。【選択図】図９
2007289243.tif 000002
【特許請求の範囲】
【請求項１】
歯の治療時に吸引機の吸引パイプの先端に取付けられ、歯の切削屑、飛沫及び唾液、洗浄水、薬液、血液などの口腔内液体等を吸引する吸引チップであって、
いずれも可撓性部材からなり、
所定内径の略円筒状の基材部と、
後端部が前記基材部の先端から基材部の内壁に内接又は一部埋設した偏心状態で所定の長さ挿入されて固設され、先端部が前記基材部の先端から所定長さ突出した細管状の小径管部とから構成されたことを特徴とする吸引チップ。
【請求項２】
前記基材部は、前記小径管部が内接する先端下半部が前方に延出するように長手方向傾斜面状にカットされた延出部が形成され、
前記小径管部の先端部が前記延出部の先端から所定長さ突出していることを特徴とする請求項１記載の吸引チップ。
【請求項３】
前記小径管部が前記基材部の内壁に内接又は一部埋設し一体成形されていることを特徴とする請求項１又は請求項２記載の吸引チップ。
【請求項４】
前記基材部の内壁に前記小径管部を係合する係合部が設けられ、該係合部に前記小径管部が係合して装着されることを特徴とする請求項１又は請求項２記載の吸引チップ。
【請求項５】
前記係合部は、前記小径管部が挿入可能な内径を有し、前記基材部の内壁に連接又は一部埋設するように連続した偏心リング状に形成されていることを特徴とする請求項４記載の吸引チップ。
【請求項６】
前記小径管部は、その後端部近傍の外径面に前記基材部の円筒部内面に挿入可能な固定部を備え、該固定部が前記基材部の円筒部内面に挿入されて装着されることを特徴とする請求項１又は請求項２記載の吸引チップ。
【請求項７】
前記固定部は、前記小径管部の後端部近傍の外径面に前記基材部の円筒部内面に挿入可能な外径を有するリング部の一部が連続した偏心リング状に一体成形されていることを特徴とする請求項５記載の吸引チップ。
【発明の詳細な説明】
【技術分野】
【０００１】
本発明は、歯の治療時に吸引機の吸引パイプの先端に取付けられ、歯の切削屑、飛沫及び唾液、洗浄水、薬液、血液などの口腔内液体等を吸引する吸引チップに関する。
【背景技術】
【０００２】
歯の切削、その他の歯科治療において、近年、吸引機を用いて吸引パイプの先端に取付けられた吸引チップを口腔内に挿し込んで切削粉、洗浄液や唾液あるいは血液などの液体等を吸引することが行われている。
【０００３】
従来の代表的な吸引チップには次の３例がある（例えば、特許文献１、２、３）。
特許文献１の吸引チップ２０は、図８に示すように、管状の基材部２１と基材部２１の前部に設けられる軟質材の可撓部２２とを備え、基材部２１は、相手方たる吸引パイプ１０の外周面の環状突部１２にスナップ嵌合する環状溝２５が内周面に形成された取付部２３と、取付部２３から前方に延出する肉薄で筒状の芯部２４とを備え、可撓部２２は少なくとも芯部２４の前端部を覆いかつ芯部２４よりも前方に延出し、可撓部２２の前端開口縁が軸線に対し斜面を形成している。
【０００４】
特許文献２の吸引チップ１は、図９に示すように、歯の切削治療中に生じる歯の切削屑を吸引する吸引機に備えられた吸引パイプ１４の先端に装着される円筒状の光透過性の材料からなっている。
【０００５】
特許文献３の吸引チップは、図１０に示すように、フレキシブルで保形性のあるループチューブ２を口金３０に接続し、チューブ２に複数の吸引用小孔２ｅを設け、口金３に別の柔軟なチューブ４を接続し、このチューブ４の先端に中空吸引針４ａを設け、口金３の接続口３ａを歯科用バキューム装置（吸引機）に接続できるようにしたものである。
【０００６】
また、必要に応じてスペーサ５を設けている。スペーサ５を上歯に当てがい軽く噛むことによって、チューブ２の位置を安定させるとともに、口腔を開いた状態を楽に維持することができるようになっている。
【特許文献１】実開平６−５５６１２号公報
【特許文献２】特開平９−２９９３８６号公報
【特許文献３】特開平１１−２８２１９号公報
【発明の開示】
【発明が解決しようとする課題】
【０００７】
しかしながら、特許文献１及び２のような形状の吸引チップでは、吸引チップを口腔内に挿し込んで切削粉、唾液や洗浄液などの液体等を吸引するようになっているが、先に歯の切削及び切削粉塵の吸引を行った後に歯の周辺に吸引チップの先端を移動させないと充分液体等を吸引することができないことから口腔内に液体が多量に残留し勝ちとなる。このため、生理的に口腔内の液体を飲み込もうとする嚥下反射あるいは口腔内の液体自体異物であるとの認識による嘔吐反射を引き起こすことが頻発するという問題点があった。
【０００８】
さらに、歯科衛生士が歯の治療時に特に口腔内液体の吸引操作時に吸引チップを歯の周辺や咽喉部近傍に近接する際に吸引チップが視界の死角となり、ドリルによる切削及び吸引チップによる切削屑及び口腔内液体の吸引操作等を的確に行い難く、特に、奥歯の神経過敏な咽喉部まで吸引チップを挿入してしまい患者に不快な嘔吐反射を引き起こすことが頻発する等の人間工学的にも問題点があった。
【０００９】
一方、特許文献３の吸引チップは、歯科治療の際に口腔内の唾液、洗浄水、血液、薬液、湿気等をチューブ２で吸引するとともに歯の神経を除去した後の根管内を中空吸引針４ａで清浄にして乾燥させることができるようになっているが、構造が複雑であり、特に歯穿の切削時に飛散する切削粉塵の吸引には不十分で適合し難いという問題点があった。
【００１０】
本発明は、このような問題点を解決するためになされたものであり、簡潔な構造で、歯の治療時に吸引機の吸引パイプの先端に取付けられ、歯の切削屑、飛沫及び唾液、洗浄水、薬液、血液などの口腔内液体等を同時的に効率よく吸引することができるとともに人間工学的に優れた吸引チップを提供することを目的とする。
【課題を解決するための手段】
【００１１】
上記目的を達成するため、請求項１の発明の吸引チップは、歯の治療時に吸引機の吸引パイプの先端に取付けられ、歯の切削屑、飛沫及び唾液、洗浄水、薬液、血液などの口腔内液体等を吸引する吸引チップであって、いずれも可撓性部材からなり、所定内径の略円筒状の基材部と、後端部が前記基材部の先端から基材部の内壁に内接又は一部埋設した偏心状態で所定の長さ挿入されて固設され、先端部が前記基材部の先端から所定長さ突出した小径管部とから構成されたことを特徴とする。
【００１２】
請求項２の発明は、請求項１記載の吸引チップであって、前記基材部は、前記小径管部が内接する先端下半部が前方に延出するように長手方向傾斜面状にカットされた延出部が形成され、前記小径管部の先端部が前記延出部の先端から所定長さ突出していることを特徴とする。
【００１３】
請求項３の発明は、請求項１又は請求項２記載の吸引チップであって、前記小径管部が前記基材部の内壁に内接又は一部埋設し一体成形されていることを特徴とする。
【００１４】
請求項４の発明は、請求項１又は請求項２記載の吸引チップであって、前記基材部の内壁に前記小径管部を係合する係合部が設けられ、該係合部に前記小径管部が係合して装着されることを特徴とする。
【００１５】
請求項５の発明は、請求項４記載の吸引チップであって、前記係合部は、前記小径管部が挿入可能な内径を有し、前記基材部の内壁に連接又は一部埋設するように連続した偏心リング状に形成されていることを特徴とする。
【００１６】
請求項６の発明は、請求項１又は請求項２記載の吸引チップであって、前記小径管部は、その後端部近傍の外径面に前記基材部の円筒部内面に挿入可能な固定部を備え、該固定部が前記基材部の円筒部内面に挿入されて装着されることを特徴とする。
【００１７】
請求項７の発明は、請求項５記載の吸引チップであって、前記固定部は、前記小径管部の後端部近傍の外径面に前記基材部の円筒部内面に挿入可能な外径を有するリング部の一部が連続した偏心リング状に一体成形されていることを特徴とする。
【発明の効果】
【００１８】
請求項１の発明によれば、吸引パイプに接続された吸引チップが略円筒状基材部の内壁に内接又は一部埋設した偏心状態で基材部の先端から小径管部が所定長さ突出し設けられているので、基材部の先端開口部から主に飛散する歯の切削屑及び飛沫を吸引するとともに、小径管部の先端部から貯留する口腔内液体等を同時的に効率よく吸引することができる。この場合、従来の吸引チップのように吸引チップの基材部を歯の周辺や咽喉部近傍に過度に近接する必要もなく小径管部が口腔内液体を同時的に効率よく吸引することができる。このため、患者の口腔内に液体等が残留することがないので、患者が液体を飲み込もうとする嚥下反射あるいは口腔内液体自体異物であるとの認識による嘔吐反射を引き起こすことがない。
【００１９】
また、たとえ小径管部が歯の周辺や咽喉部近傍に近接することがあっても、小径管部がシリコンゴムなどの可撓性材料からなる細い部材であることから、これより太めの従来の吸引チップに比べて患者の不快な嘔吐反射を引き起こすことがほとんどない。
また、吸引チップ基材部の延出部先端に細い小径管部が突設された構造になっていることにより従来の歯の周辺や咽喉部近傍に基材部を過度に近接する必要がないため従来の吸引チップに比べて小径管部の視界が広がり、ドリルによる切削等の治療と吸引チップによる切削屑、飛沫及び口腔内液体等の吸引操作等とを同時的に的確に行い易くなるという利点がある。
【００２０】
このように、円筒状基材部の内壁に内接又は一部埋設した偏心状態で小径管部が固設された簡単な構造で、上記利点を有する人間工学的に優れた吸引チップを提供することができる。
【００２１】
請求項２の発明によれば、請求項１の発明と同様な効果を有するのに加えて、基材部先端下半部が前方に延出するように傾斜面状にカット形成された延出部の先端から小径管部が所定長さ突出し設けられているため、基材部の先端開口面積が拡大化されることにより飛散する切削屑及び飛沫の吸引性能が向上するとともに、吸引チップ基材部の延出部先端に細い小径管部が突設された構造になっていることにより従来の歯の周辺や咽喉部近傍に基材部を過度に近接する必要がないため従来の吸引チップに比べて小径管部の視界が広がり、歯科衛生士が歯の治療時のドリルによる切削等の治療と吸引チップによる切削屑、飛沫ならびに口腔内液体等の吸引操作等とを同時的に一層的確に行い易くなるなど使い勝手が向上する。
【００２２】
請求項３の発明によれば、請求項１又は請求項２の発明と同様な効果を有するのに加えて、小径管部が前記基材部の内壁に内接又は一部埋設し一体成形されることから、量産化が容易で、生産性及び経済性にも優れた吸引チップを提供することができる。
【００２３】
請求項４の発明によれば、請求項１又は請求項２の発明と同様な効果を有するのに加えて、基材部の内壁に設けられた係合部に小径管部を装着する構成で、基材部の構造が簡単であることから、その生産性及び経済性が向上するとともに、小径管部の長さや太さなどの形状を自在に変更可能な上、小径管部の取替えも自在となるなど設計及び使い勝手の自由度が向上する。また、小径管部として汎用シリコンゴム製のチューブを用いることもでき、汎用性が向上する。さらに、小径管部の先端部をさらに細く形成して、歯の神経を除去した後の根管内の液体等を吸引する根管治療に用いるなど吸引チップの適用範囲を拡張することも可能である。
【００２４】
請求項５の発明によれば、請求項４の発明と同様な効果を有するのに加えて、基材部内壁の係合部は小径管部が挿入可能なリング状の簡易構造であることから、吸引チップの生産性、経済性、ならびに設計及び使い勝手の自由度が一層向上する。
【００２５】
請求項６の発明によれば、請求項１又は請求項２の発明と同様な効果を有するのに加えて、固定部を基材部の円筒部内面に挿入することにより小径管部が装着される構造であることから、吸引チップの基材部が単純な構造となり、小径管部の長さや太さなどの形状を自在に変更可能な上、小径管部の取替えも自在となるなど請求項４の発明と同様に、吸引チップの生産性、経済性、ならびに設計及び使い勝手の自由度が向上する。また、この小径管部を従来一般的な吸引チップに装着することも可能であり、汎用性が向上する。
【００２６】
請求項７の発明によれば、請求項６の発明と同様な効果を有するのに加えて、小径管部の固定部は基材部の円筒部内面に挿入可能なリング状の簡易構造であることから、吸引チップの生産性、経済性、ならびに設計及び使い勝手の自由度が一層向上する。
【発明を実施するための最良の形態】
【００２７】
以下、本発明を図示する実施例により具体的に説明する。
【実施例１】
【００２８】
図１は本発明の実施例１の吸引チップの側面図、図２は図１の吸引チップの先端側から見た正面図、図３は図１の吸引チップの上側から見た平面図である。
【００２９】
実施例１の吸引チップ１は、歯の治療時に吸引機の吸引パイプの先端に取付けられ、歯の切削屑及び唾液、洗浄水、薬液、血液などの口腔内液体等を吸引する吸引チップであって、円筒状の基材部２と、基材部２の内面２ｄに内接して偏心状に一体成形された小径管部３とから大略構成されている。吸引チップ１は、基材部２及び小径管部３共に例えば衛生的なシリコンゴムなどの可撓性部材からなる一体成形品である。特に、シリコンゴム同士の部材を固定することができる適当な接着剤が現存しないこともあり、基材部２及び小径管部３は一体成形品とすることが量産性からも好ましい。
【００３０】
基材部２は、図１に示すように、所定内径Ｄの円筒状シリコンゴムからなり、小径管部３が内接する先端下半部が前方に延出するように長手方向傾斜面状にカットされた延出部２ａが形成されている。延出部２ａが傾斜面状にカット形成される理由については、後述する。
【００３１】
小径管部３は、所定内径ｄの細管状シリコンゴムからなり、後端部３ｂが基材部２の延出部２ａから円筒部内に亘る内面に内接した偏心状態で所定の長さ（＝Ｃ＋Ａ）挿入され一体成形され、先端部３ａが延出部２ａの先端から所定長さＢ突出している。ここで、Ａは基材部２の円筒部先端２ｃから延出部２ａの先端までの長さで、Ｃは基材部２の円筒部先端２ｃから小径管部３の後端部３ｂまでの長さである。
【００３２】
吸引チップ１の形状は、歯科治療において、歯科衛生士の切削ドリル及び吸引チップ等による治療操作性、患者の不快な嚥下反射や嘔吐反射等の抑制性などの人間工学面ならびに飛散する歯の切削屑及び口腔内液体の吸引性能面等を考慮して、種々実験を重ねた結果から決定される。
【００３３】
基材部２の大きさ、特に内径Ｄは歯の切削屑等の吸引性能面からは大きい方が好ましいが、歯科衛生士の視界性及び治療操作性、患者の不快な嚥下反射及び嘔吐反射等の抑制性などの人間工学面からは外径が小さい方が好ましい。そこで、まず切削屑の吸引性能を向上させるためには、基材部２の先端を斜めにカットして開口面積を拡大化することが望ましい。また、歯の治療時の歯科衛生士の視界を広げてドリルによる切削等の治療と吸引チップによる切削屑、飛沫及び口腔内液体等の吸引操作等とを同時的に的確に行い易くするなど使い勝手を向上させるためには、小径管部３が内接する基材部２先端下半部が前方に延出するように傾斜面状にカットされた先細りの延出部２ａを形成することが望ましい。
【００３４】
一方、小径管部３の大きさ、特に内径ｄは口腔内液体等の吸引性能面あるいは歯の切削屑又は食べかすなどによる目詰まり防止性等の面からは大きい方が好ましいが、歯科衛生士の視界性及び治療操作性、患者の不快な嘔吐反射等の抑制性などの人間工学面からは外径が極力小さい方が好ましい。
【００３５】
基材部２の長さは、歯科衛生士の視界性及び治療操作性からは比較的短い方が好ましいが、吸引パイプ１０の先端に外挿し治療時に容易には外れない取付け代（吸引パイプ挿入長さ）Ｅが基材部２の内径Ｄの例えば約２倍程度あれば十分である。
【００３６】
図４は、吸引チップ１の基材部２内の気流を模式的に示す説明図である。
吸引チップ１の基材部２内に先端の延出部２ａから吸引される気流は、図４の流線Ｆで示すように、円筒部先端２ｃ近辺で縮流され渦Ｇが発生するため軸方向の平均流速が吸引パイプ１０先端部１１近辺の円筒部の流速に比べて見かけ上小さく吸引パイプ１０側の円筒部の奥行きに従って整流され、通常、円筒部先端２ｃから内径Ｄ以上の長さで軸方向に流線Ｆがほぼ平行流となり流速が増大回復するようになる。そして、よく知られる「同一位置（エネルギー）における運動エネルギー（＝流速の二乗×流体密度）と静圧との和が一定である」というベルヌーイの法則により、基材部２円筒部内の小径管部３後端部３ｂ周辺の軸方向流速が大きいほど後端部３ｂ周辺の静圧が低下して小径管部３からの口腔内液体等の吸引力が大きくなる。
【００３７】
このため、小径管部３から効率よく口内液体を吸引する吸引性能面からは、基材部２先端の延出部２ａからの吸引気流が基材部２円筒部内の小径管部３後端部３ｂ周辺で軸方向に流線Ｆが平行流となり流速が増大回復するように整流されることが望ましく、基材部２の円筒部先端２ｃから小径管部３の後端部３ｂまでの長さＣは基材部２の円筒部先端２ｃから内径Ｄ以上の長さとすることが望ましい。しかし、小径管部３が長過ぎると小径管部３内の液体などの流動抵抗が増大して口内液体の吸引性能が低下することから、円筒部先端２ｃから小径管部３の後端部３ｂまでの長さＣは円筒部内径Ｄ程度とすることが最適である。
【００３８】
また、延出部２ａ先端から小径管部３先端部３ａまでの突出長さＢは、歯科衛生士が歯の治療の際ドリルによる歯の切削等の治療と同時に吸引チップの基材部を歯の周辺近傍に寄せて、基材部２先端の延出部２ａからの切削屑及び小径管部３先端３ａからの口腔内の歯の根元部に溜まる液体等の吸引を同時的に行うことができるよう、ほぼ患者の歯の高さの約６ｍｍ程度が好ましい。
【００３９】
上記のような基材部２及び小径管部３の諸条件を加味した種々の形状諸元の吸引チップ１を用いた歯科治療実験の結果、極力単純な円筒形状の基材部２の好適な形状諸元は、内径Ｄが通常の吸引パイプ１０の外径１０ｍｍに略等しい約１０ｍｍ、外径が約１４ｍｍ、円筒部先端２ｃから延出部２ａ先端までの長さＡは内径Ｄと略等しく約１０ｍｍで、円筒部後端部２ｂから延出部２ａ先端までの全長が約４３ｍｍ程度であることが判明した。
【００４０】
一方、小径管部３の好適な形状諸元は、内径ｄが約２ｍｍ、先端３ａから基材部２の延出部２ａ先端までの突出長さＢは約６ｍｍ、全長（＝Ｃ＋Ａ＋Ｂ）が約２６ｍｍ、外形は後端部３ｂの外径が約４ｍｍで先端部３ａの外径が約３ｍｍの先細りテーパ形状である。小径管部３の外形がテーパ形状としているのは、一体成形金型からの離形性が良好になる上、小径管部３の先端が極力細くなりその分柔軟性も増すことなどにより歯の周辺や咽喉部近傍に近接することがあっても患者の不快な嘔吐反射を引き起こし難くする利点があるためである。
【００４１】
このような好適な形状諸元を有する吸引チップ１は、基材部２先端下半部が前方に延出するように傾斜カット面状に形成された延出部２ａの先端から小径管部３が所定長さ（約６ｍｍ）突出し設けられているため、延出部２ａの先端開口面積が拡大化されることにより飛散する切削屑及び飛沫の吸引性能が向上するとともに、従来の吸引チップのように吸引チップの基材部２を歯の周辺や咽喉部近傍に過度に近接しなくても小径管部３の先端部３ａから口腔内液体等を同時的に効率よく吸引することが判明した。
【００４２】
このため、患者の歯の切削等の治療と切削粉塵及び飛沫の吸引を行うと同時に口腔内の液体等も小径管部３の先端部３ａから吸引して残留することがないので、患者が液体を飲み込もうとする嚥下反射あるいは口腔内液体自体異物であるとの認識による嘔吐反射を引き起こすことがないことも判明した。
【００４３】
また、吸引チップ１の先端部が傾斜カット面状に形成された延出部２ａ及び延出部２ａの先端から突出した小径管部３の構成により円筒部に対して先細りとなっていることから歯科衛生士の歯の治療時に特に小径管部３の視界が広がり、ドリルによる切削等に治療と吸引チップによる切削屑、飛沫及び口腔内液体等の吸引との同時的な操作等を一層的確に行い易くなり、上記構成の吸引チップ１は人間工学的にも優れていることが判明した。
【実施例２】
【００４４】
図５は本発明の実施例２の吸引チップの側面図、図６は図５の吸引チップの先端側から見た正面図である。ここで分かり易くするため、実施例２においても、実施例１に対して部分的に形状が異なっていても同一の機能を有する部材には同一の符号を付して対応させてある。
【００４５】
実施例２においては、基材部２の内面２ｄに小径管部３を係合する係合部２ｈが設けられ、係合部２ｈに小径管部３が係合して装着される構成である。
【００４６】
係合部２ｈは、図６に示すように、小径管部３が挿入可能な内径２ｉを有し、基材部２円筒部の内面２ｄに連接した適宜長さ例えば５ｍｍ、肉厚０．５ｍｍ程度の薄肉偏心リング状に一体成形されている。
【００４７】
この実施例２の基材部２及び小径管部３のその他の好適な形状諸元は、前記実施例１と全く同様である。
【００４８】
したがって、実施例２においては、前記実施例１と同様な優れた利点を有するのに加えて、基材部２の内面に設けられた係合部２ｈに小径管部３を装着する構成で基材部２の構造が簡単化するとともに、小径管部３の長さや太さなどの形状を自在に変更可能な上、小径管部３の取替えも自在となるなど設計及び使い勝手の自由度が向上する。また、小径管部３として、汎用シリコンゴム製のチューブを用いることもできる。
【００４９】
さらに、小径管部３の先端部をさらに細く形成して、歯の神経を除去した後の根管内の液体等を吸引する根管治療に用いるなど吸引チップの適用範囲を拡張することもできる。
【実施例３】
【００５０】
図７は本発明の実施例３の吸引チップの側面図、図８は図７の吸引チップの先端側から見た正面図である。ここで分かり易くするため、実施例３においても、実施例１又は２に対して部分的に形状が異なっていても同一の機能を有する部材には同一の符号を付して対応させてある。
【００５１】
実施例３においては、小径管部３は、その後端部３ｂ近傍の外径面に基材部２の円筒部内面に挿入可能な固定部材３ｈを備え、固定部材３ｈが基材部２の円筒部内面に挿入されて装着される構成である。
【００５２】
固定部材３ｈは、図８に示すように、小径管部３の後端部３ｂ近傍の外径面に基材部２の円筒部内面に挿入可能な外径（基材部２の内径Ｄにほぼ等しい）を有する適宜長さ例えば５ｍｍ、肉厚０．５ｍｍ程度の薄肉リング部の一部が連続した偏心リング状に一体成形されている。
【００５３】
この実施例３の基材部２及び小径管部３のその他の好適な形状諸元は、前記実施例１と全く同様である。
【００５４】
したがって、実施例３においては、前記実施例１と同様な優れた利点を有するのに加えて、固定部材３ｈを基材部２の円筒部内面に挿入することにより小径管部３が装着される構造であることから、吸引チップ１の基材部２が単純な構造となり、小径管部３の長さや太さなどの形状を自在に変更可能な上、小径管部３の取替えも自在となるなど実施例２と同様に、吸引チップ１の設計及び使い勝手の自由度が向上する。また、この小径管部３を従来一般的な吸引チップに装着することも可能となり、汎用性が向上する。
【００５５】
さらに、小径管部３の先端部をさらに細く形成して、歯の神経を除去した後の根管内の液体等を吸引する根管治療に用いるなど吸引チップの適用範囲を拡張することもできる。
【実施例４】
【００５６】
図９は本発明の実施例４の吸引チップの側面（断面）図、図１０は図９の吸引チップの先端側から見た正面図、図１１は図９の吸引チップの上側から見た平面図である。ここで分かり易くするため、実施例４においても、実施例１に対して部分的に形状が異なっていても同一の機能を有する部材には同一の符号を付して対応させてある。
【００５７】
実施例４においては、実施例１と同様に、小径管部３が基材部２の内面２ｄに内接又は一部埋設した偏心状態で一体成形される構成であって、基材部２先端の延出部２ａ及び小径管部３の外径形状が実施例１とは一部若干異なっている。
【００５８】
すなわち、延出部２ａの外周面が、図９に示すように、先端が小径管部３の外周面に接するように円筒部先端２ｃから先端方向に傾斜した部分円錐面状に形成されている。また、小径管部３は、内径約２ｍｍに対して外径が約３ｍｍのストレート細管形状となっている。
【００５９】
この実施例３の基材部２及び小径管部３のその他の好適な形状諸元は、前記実施例１と全く同様である。
【００６０】
したがって、実施例４においては、前記実施例１と同様な優れた利点を有するのに加えて、延出部２ａから小径管部３の先端に亘り一層スリムな細小化構造であることから、歯科衛生士の歯の治療時に特に小径管部３の視界が広がり、ドリルによる切削等の治療と吸引チップによる切削屑、飛沫及び口腔内液体等の吸引との同時的な操作等を一層的確に行い易くなり、上記構成の吸引チップ１は人間工学的にも一層優れていることが歯科治療実験で判明した。
【００６１】
なお、本発明の吸引チップ１は、図１〜１１等に示した実施例以外にも例えば基材部２又は小径管部３の長さや太さなどの形状あるいは部材の材質等を任意に変更した構成とすることができる。例えば、基材部２に比べて小径管部３を柔らかめのシリコンゴムなどの可撓性部材とするなど部分的に硬度の異なる可撓性部材を用いて人間工学的に一層好適な吸引チップ１を構成することもできる。
【図面の簡単な説明】
【００６２】
【図１】本発明の実施例１の吸引チップの側面図である。
【図２】図１の吸引チップの先端側から見た正面図である。
【図３】図１の吸引チップの上側から見た平面図である。
【図４】図１の吸引チップの基材部内の気流を模式的に示す説明図である。
【図５】本発明の実施例２の吸引チップの側面図である。
【図６】図２の吸引チップの先端側から見た正面図である。
【図７】本発明の実施例３の吸引チップの側面図である。
【図８】図６の吸引チップの先端側から見た正面図である。
【図９】本発明の実施例４の吸引チップの側面（断面）図である。
【図１０】図９の吸引チップの先端側から見た正面図である。
【図１１】図９の吸引チップの上側から見た平面図である。
【図１２】従来の特許文献１の吸引チップの側面図（断面図）である。
【図１３】従来の特許文献２の吸引チップの側面図（断面図）である。
【図１４】従来の特許文献３の吸引チップの平面図である。
【符号の説明】
【００６３】
１      吸引チップ
２      基材部
２ａ    延出部
２ｂ、３ｂ  後端部
２ｃ    円筒部先端
２ｄ、２ｉ、３ｉ  内径面又は内面
２ｈ    係合部
３      小径管部
３ａ、１１  先端部
３ｈ    リング状固定部材
１０    吸引パイプ
Ｆ      流線
Ｇ      渦
【図１】
2007289243.tif 000003
【図２】
2007289243.tif 000004
【図３】
2007289243.tif 000005
【図４】
2007289243.tif 000006
【図５】
2007289243.tif 000007
【図６】
2007289243.tif 000008
【図７】
2007289243.tif 000009
【図８】
2007289243.tif 000010
【図９】
2007289243.tif 000011
【図１０】
2007289243.tif 000012
【図１１】
2007289243.tif 000013
【図１２】
2007289243.tif 000014
【図１３】
2007289243.tif 000015
【図１４】
2007289243.tif 000016